(57)【要約】【課題】立体の固有の特徴を生かしながら、表示内容を歪みがなく立体的に表示するとともに、立体の側面よりも広い面積の表示面を確保する。【解決手段】案内標識１１は、底面が直角二等辺三角形の三角柱を基体形状とし、三角柱の側稜を挟む両側面に突起状の表示部１２が連続して設けられている。各表示部１２は、互いに直交する細長い平面である第１表示面１３と第２表示面１４とを有し、各表示面１３，１４が前記両側面に階段状に形成されている。第１表示面１３は、前記側稜に対向する側面に平行な垂直面を基準面とし、この基準面に平行に形成されている。第２表示面１４は、第１表示面１３に直交する平面に形成されている。各表示面１３，１４は、三角柱の各側面に対応して個々に段差があるが、全体的にはそれぞれ垂直な一平面になっている。従って、各表示面１３，１４に表現された表示内容は、歪みのない立体的な正視画像として見える。第１表示面１３は、三角柱の両側面の投影面積に相当した広い面積を有している。【選択図】　　　　図１
2004038129.tif 000002
【特許請求の範囲】
【請求項１】
三角柱を基体形状とし、三角柱の１つの側稜を挟む両側面に複数の突起状の表示部（１２）が連続して設けられてなる表示体（１１）であつて、各表示部（１２）は、前記側稜を含む平面に平行な平面からなる第１表示面（１３）と、第１表示面（１３）に直交する平面からなる第２表示面（１４）とを有し、各表示面（１３，１４）が前記側稜に対応する部位を起点にして前記両側面に階段状に設けられていることを特徴とする表示体。
【請求項２】
四角柱を基体形状とし、四角柱の各側面に複数の突起状の表示部（２２）が連続して設けられてなる表示体（２１）であつて、各表示部（２２）は、四角柱の１つの側稜を含む平面に平行な平面からなる第１表示面（２３）と、第１表示面（２３）に直交する平面からなる第２表示面（２４）とを有し、各表示面（２３，２４）が前記側稜及び他の側稜に対応する部位を起点にして各側面に階段状に設けられていることを特徴とする表示体。
【請求項３】
底面が円形又は楕円形である円筒面を有する円柱状体を基体形状とし、前記円柱状体の側面に複数の突起状の表示部（３２）が連続して設けられてなる表示体（３１）であつて、各表示部（３２）は、底面の互いに直交する直径を通る２つの垂直面の一方に平行な平面からなる第１表示面（３３）と、前記垂直面の他方に平行な平面からなる第２表示面（３４）とを有し、各表示面（３３，３４）が前記各垂直面が交わる前記円柱状体の各母線に対応する部位を起点にして側面に階段状に設けられていることを特徴とする表示体。
【請求項４】
底面が直角平行四辺形である四角錐体を基体形状とし、四角錐体の各側面に複数の突起状の表示部（４２，５２）が連続して設けられてなる表示体（４１，５１）であつて、前記表示部（４２，５２）は、前記底面に平行な平面からなる第１表示面（４３，５３）と、底面の対応する辺に平行で底面に垂直な平面からなる第２表示面（４４，５４）とを有し、各表示面（４３，４４，５３，５４）が前記頂点に対応する部位を起点にして各側面に階段状に設けられていることを特徴とする表示体。
【請求項５】
底面が互いに直交する２つの対角線を有する四角形で、前記対角線の交点と頂点を結ぶ線が底面に垂直である四角錐体を基体形状とし、四角錐体の各側面に複数の突起状の表示部（６２）が連続して設けられてなる表示体（６１）であつて、前記表示部（６２）は、前記底面に平行な平面からなる第１表示面（６３）と、底面の一方の対角線を通る垂直な平面に平行な平面からなる第２表示面（６４）と、底面の他方の対角線を通る垂直な平面に平行な平面からなる第３表示面（６５）とを有し、各表示面（６３，６４，６５）が互いに直交する異なる方向に向いた直角平行四辺形で、前記頂点に対応する部位を起点にして各側面に階段状に設けられていることを特徴とする表示体。
【請求項６】
球面又は楕円面である球状面からなる球状体を基体形状とし、球状体の側面に複数の突起状の表示部（７２）が連続して設けられてなる表示体（７１）であつて、前記表示部（７２）は、互いに直交する３軸のうち２軸を含む３つの平面にそれぞれ平行な平面からなる第１表示面（７３）、第２表示面（７４）及び第３表示面（７５）を有し、各表示面（７３，７４，７５）が互いに直交する異なる方向に向いた直角平行四辺形で、各軸と球状面との交点に対応する部位を起点にして球状面に階段状に設けられていることを特徴とする表示体。
【発明の詳細な説明】
【０００１】
【発明の属する技術分野】
本発明は、情報伝達手段、装飾手段、小物品等として使用される表示体に関し、詳細には、観察者との相対的な位置関係により異なる表示内容を立体的に視認し得る表示体に関するものである。
【０００２】
【従来の技術】
看板、広告塔、標識等の情報伝達手段、置物、絵画、壁掛け、オブジエ等の建築物、構造物、公園、催物会場等に設置される装飾手段、キーホルダー、アクセサリー等の小物品等として使用される表示体において、文字、図形、記号、模様、色彩、光等で表現された表示内容を観察者との位置関係により異なる正視画像として視認し得るようにするために、異なる向きに複数の表示面を有する三角柱、四角柱、四角錐体、円柱状体、球状体等の立体を基体形状とする表示体が広く採用されている。
【０００３】
例えば、看板についてみれば、三角柱からなる表示体は、直角平行四辺形の平面からなる３つの側面を有し、各側面が表示面となっている。四角柱からなる表示体は、直角平行四辺形の平面からなる４つの側面を有し、各側面が表示面となっている。四角錐体からなる表示体、例えば底面が互いに直交する２つの対角線を有する直角平行四辺形（正方形）で、前記対角線の交点と頂点とを結ぶ線が底面に垂直である四角錐体からなる表示体は、底面の各辺を底辺とする二等辺三角形の平面からなる４つの側面を有し、各側面が表示面となっている。円柱状体からなる表示体、例えば底面が円形又は楕円形からなる円筒面を有する円柱又は楕円柱である表示体は、円筒面からなる側面を有し、この側面が表示面となっている。また、球状体からなる表示体、例えば球面又は楕円面からなる球状面を有する球体又は楕円体である表示体は、球状面が表示面となっている。
【０００４】
ところで、平板を基体形状とする表示体において、二方向又は三方向に表示するために、断面が三角形又は台形からなる突起状の表示部を左右方向に連続して設けてなるものが、各種提案されている（例、実開昭５９−８７０９４号公報、実開昭６３−１５３２８７号公報、実開平５−２５４８９号公報等参照）。
【０００５】
【発明が解決しようとする課題】
ところが、基体形状が立体である前記従来の表示体については、表示内容を表示体の固有の形状による特徴以上の強い印象を観察者に与え難いという問題点がある。すなわち、基体形状が三角柱及び四角柱である表示体については、表示面が平面であるため、表示内容が平面的に見え、変化に乏しい。四角錐体である表示体については、各表示面が上方に傾倒した平面であるため、表示内容がやや立体的であるが、歪んで見える傾向がある。また、円柱状体及び球状体である表示体については、表示面が曲面であるため、表示内容がやや立体的であるが、歪んで見える傾向がある。
【０００６】
一方、基体形状が平板である前記従来の表示体については、側面が１つでありながら平面からなる２つ又は３つの表示面が設けられることから、表示内容が２方向又は３方向から歪みがなく立体的に見え、しかも観察者の移動に伴って変化するため、観察者に強い印象を与える。ところが、表示面を表示体の側面以上に広く設けることができないため、必要面積の表示面を確保するためには、表示体が大型化するという問題点がある。
【０００７】
本発明は、前記従来の問題点を解消すべくなされたものであり、その課題は、基体形状が三角柱、四角柱、四角錐体、円柱状体及び球状体である各立体の固有の特徴を生かしながら、表示内容を歪みがなく立体的でしかも観察者との相対的な位置関係により多彩に変化する形態で表示し得るとともに、各立体の側面よりも広い面積の表示面を確保し得る表示体を提供することにある。
【０００８】
【課題を解決するための手段】
本発明では、前記課題を解決するために、表示体の基体形状として三角柱、四角柱、円柱状体、四角錐体及び球状体のそれぞれを採用し、互いに直交する２つ又は３つの基準面に平行な表示面からなる複数の表示部を立体の各側面に連続して設けることにより、基体形状との組合せにより３方向以上の複数方向に向いた表示面が得られるようになっている。各方向に向いた表示面は、立体の形状を維持しつつ階段状になっているが、全体として奥行きのある一平面になっている。また、少なくとも１方向に向いた表示面は、立体の各側面よりもはるかに広い面積になっている。従って、各表示面に表示内容を表現することにより、全体として３方向以上の複数方向において歪のない正視画像として立体的に見得る。少なくとも１方向に向いた表示面の面積が各立体の側面より広いことから、表示内容の表現形態をゆとりをもって選択し得るとともに、立体の形状に対する感覚とは異なる強い印象を観察者に与え得る。また、観察者との相対的な位置関係により、各表示面の表示内容が混在して見えることがあるため、観察者に強い印象を与え得る。
【０００９】
すなわち、本発明は、基体形状が三角柱であるものは、三角柱の１つの側稜を挟む両側面に複数の突起状の表示部が連続して設けられている。各表示部は、前記側稜を通る平面に平行な平面からなる第１表示面と、第１表示面に直交する平面からなる第２表示面とを有している。各表示面は、前記側稜に対応する部位を起点にして前記両側面に階段状に設けられている。
【００１０】
基体形状が四角柱であるものは、四角柱の各側面に複数の突起状の表示部が連続して設けられている。各表示部は、四角柱の１つの側稜を通る平面に平行な平面からなる第１表示面と、第１表示面に直交する平面からなる第２表示面とを有している。各表示面は、前記側稜及び他の側稜に対応する部位を起点にして各側面に階段状に設けられている。
【００１１】
基体形状が底面が円形又は楕円形である円筒面を有する円柱状体であるものは、前記円柱状体の側面に複数の突起状の表示部が連続して設けられている。各表示部は、底面の互いに直交する直径を通る２つの垂直面の一方に平行な平面からなる第１表示面と、前記垂直面の他方に平行な平面からなる第２表示面とを有している。各表示面は、前記各垂直面が交わる前記円柱状体の各母線に対応する部位を起点にして側面に階段状に設けられている。
【００１２】
基体形状が底面が直角平行四辺形の四角錐体であるものは、四角錐体の各側面に複数の突起状の表示部が連続して設けられている。前記表示部は、前記底面に平行な平面からなる第１表示面と、底面の対応する辺に平行で底面に垂直な平面からなる第２表示面とを有している、各表示面は、前記頂点に対応する部位を起点にして各側面に階段状に設けられている。
【００１３】
基体形状が底面が互いに直交する２つの対角線を有する四角形で、前記対角線の交点と頂点を結ぶ線が底面に垂直である四角錐体であるものは、四角錐体の各側面に複数の突起状の表示部が連続して設けられている。前記表示部は、前記底面に平行な平面からなる第１表示面と、底面の一方の対角線を通る垂直な平面に平行な第２表示面と、底面の他方の対角線を通る垂直な平面に平行な第３表示面とを有している。各表示面は、互いに直交する異なる方向に向いた直角平行四辺形で、前記頂点に対応する部位を起点にして各側面に階段状に設けられている。
【００１４】
基体形状が球面又は楕円面である球状面からなる球状体であるものは、球状体の側面に複数の突起状の表示部が連続して設けられている。前記表示部は、互いに直交する３つの軸のうち２つの軸を含む３つの平面にそれぞれ平行な平面からなる第１表示面、第２表示面及び第３表示面を有している。各表示面は、互いに直交する異なる方向に向いた直角平行四辺形で、各軸と球状面との交点に対応する部位を起点にして球状面に階段状に設けられている。
【００１５】
【発明の実施の形態】
本発明の実施の形態を図に基づいて以下に説明する。図１〜３は、第１実施の形態の概念的説明図である。図１〜３において、１１は表示体である案内標識で、図２に２点鎖線で示すように底面が直角二等辺三角形の三角柱を基体形状としている。１２は、表示部で、互いに直交する細長い平面である第１表示面１３と第２表示面１４とからなり、各表示面１３，１４が底面の三角形における直角の頂点を通る三角柱の側稜を挟む両側面にそれぞれ階段状に連続して形成されている。第１表示面１３は、前記側稜に対向する側面に平行で前記側稜を通る平面を基準面とし、この基準面に平行に形成されている。各第１表示面１３の幅は、同一寸法になっている。第２表示面１４は、第１表示面１３に直交して形成されている。各第２表示面１４の幅は、同一寸法であり、また第１表示面１３の幅と同一寸法になっている。１５は、建物の壁等に固定する取付部である。なお、案内標識１１は、隣接する表示部１２の一方の第１表示面１３と他方の第２表示面１４との接続部（各表示部１２間の接続部位）又は第１表示面１３と第２表示面１４との接続部位が基体形状に沿うように金属板、樹脂等を折り曲げて形成されているが、端面が直角の板状体を各端縁が基体形状に沿うように積層してもよい。トイレの案内標識等の比較的小型のものは、樹脂等により一体成形してもよい。
【００１６】
第１実施の形態の案内標識１１を図１〜３に示す状態で設置する場合には、観察者は、各表示面１３，１４に表現された表示内容（図示せず）を互いに直交するＡ矢印方向、Ｂ矢印方向及びＣ矢印方向の３方向からそれぞれ正視画像として見得る。その際、各表示面１３，１４がそれぞれの向きにおいて全体として一平面を形成するが、階段状になっていることから、表現された表示内容を歪みのない正視画像として立体的に見得る。第１表示面１３については、全体として三角柱の２つの側面に設けられ、これらの側面の投影面積に相当していることから、広い面積が確保されている。なお、三角柱は、底面の形状が直角二等辺三角形のみではなく、不等辺三角形等の他の形状でもよい。第１表示面１３は、基準面を前記側稜に対向する側面に平行で前記側稜を通る平面としているが、前記対向する側面に交差する平面であってもよい。例えば、トイレの案内標識についてみれば、取付場所の設置条件、歩行者の頻繁に移動する方向等に対応した向きに第１表示面１３を設けることにより、案内標識としての機能を格段に向上させ得る。各表示面１３，１４に表現される表示内容を省略しているが、三角柱の右側面又は左側面における第１表示面１３と第２表示面１４とに表現された表示内容を同一とすることにより（色彩、模様等の表現形態を異ならせることが好ましい）、観察者がＡ矢印方向である正面方向とＢ矢印方向である右側方向又はＣ矢印方向である左側方向との中間で見る際における表示内容を識別し得る範囲（視認範囲）が広くなる。第１表示面１３と第２表示面１４とを交互に照明するようにしてもよく、観察者の視認範囲が広くなる。第１表示面１３と第２表示面１４とは、互いに直交し、各表示部１２間の接続部位又は第１表示面１３と第２表示面１４との接続部位が基体形状に沿うようになっていればよく、各幅寸法を表示部１２毎に異ならせることにより、表示内容の表現形態を幅広く選択し得る。
【００１７】
図４〜６は、第２実施の形態の概念的説明図である。図４〜６において、２１は表示体である看板で、図５に２点鎖線で示すように底面が正方形の四角柱を基体形状としている。２２は、表示部で、互いに直交する細長い平面からなる第１表示面２３と第２表示面２４とを有し、各表示面２３，２４が四角柱の１つの側稜の部位を起点として各側面に階段状に連続して形成されている。第１表示面２３は、底面の一方の対角線を通る垂直面を基準面とし、この基準面に平行に形成されている。各第１表示面２３の幅は、同一寸法になっている。第２表示面２４は、第１表示面２３に直交して形成されている。各第２表示面２４の幅は、同一寸法であり、また各第１表示面２３の幅と同一寸法になっている。看板２１の取付部は、建築物の屋根、スタンド、ポール等に固定して設置するようになっているが、図示を省略している。なお、看板２１の製法は、第１実施の形態と同様である。
【００１８】
第２実施の形態の看板２１を図４〜６に示す状態で設置する場合には、観察者は、各表示面２３，２４に表現された表示内容（図示せず）を互いに直交するＡ矢印方向、Ｂ矢印方向、Ｃ矢印方向及びＤ矢印方向の４方向からそれぞれ正視画像として見得る。その際、各表示面２３，２４がそれぞれの向きにおいて全体として一平面を形成するが、階段状になっていることから、表現された表示内容を歪みのない正視画像として立体的に見得る。第１表示面２３については、正面側の側稜の両側面及び背面側の側稜の両側面に設けられ、第２表示面２４については右側面側の側稜の両側面及び左側面側の側稜の両側面に設けられている。各方向に向いたそれぞれの表示面２３，２４は、全体として四角柱の隣接する２つの側面に設けられ、これらの側面の投影面積に相当していることから、広い面積が確保されている。なお、四角柱は、底面の形状が正方形、直角平行四辺形等のみではなく、他の形状でもよい。第１表示面２３は、基準面を底面の一方の対角線を通る垂直面としているが、前記垂直面に交差する平面であってもよい。第１表示面２３と第２表示面２４に表現された表示内容を同一にすること、第１表示面２３と第２表示面２４とを交互に照明すること、各表示面２３，２４の幅寸法を各表示部２２間で異ならせること等を採用してもよいことは、第１実施の形態と同様である。
【００１９】
図７〜９は、第３実施の形態の概念的説明図である。図７〜９において、３１は表示体である看板で、図８に２点鎖線で示すように底面が円形の円柱を基体形状としている。３２は、表示部で、互いに直交する細長い平面からなる第１表示面３３と第２表示面３４とを有し、各表示面３３，３４が円柱の側面に階段状に連続して設けられている。第１表示面３３は、底面の互いに直交する直径を通る２つの垂直面の一方を基準面とし、この基準面に平行に形成されている。第２表示面３４は、前記垂直面の他方に平行な平面に形成されている。第１表示面３３と第２表示面３４は、前記各垂直面が交わる円柱の各母線に対応する部位を起点にして側面に階段状に設けられているが、各幅寸法は、各母線間の中央、すなわち前記各垂直面と４５度の角度をなす母線の位置を境にして鏡面対称に設定されている。看板３１の取付部は、建物の屋根、スタンド、ポール等に固定して設置するようになっているが、図示を省略している。なお、看板３１の製法は、第１実施の形態と同様である。
【００２０】
第３実施の形態の看板３１を図７〜９に示す状態で固定設置する場合には、観察者は、各表示面３３，３４に表現された表示内容（図示せず）を互いに直交するＡ矢印方向、Ｂ矢印方向、Ｃ矢印方向及びＤ矢印方向の４方向からそれぞれ正視画像として見得る。その際、各表示面３３，３４がそれぞれの向きにおいて全体として一平面を形成するが、階段状になっていることから、表現された表示内容を歪みのない正視画像として立体的に見得る。第１表示面３３は、看板３１のＡ矢印方向である正面方向及びＤ矢印方向である背面方向において円柱の投影面積に相当する矩形状の垂直面であり、また第２表示面３４はＢ矢印方向である右側方向側及びＣ矢印方向である左側方向側において同様の垂直面であることから、各表示面は円柱の円筒面の正視面積より広い面積が確保されている。なお、底面が円形の円柱のみではなく、底面が楕円形の楕円柱等の円筒面を有する円柱状体でもよい。半割りした円柱等の円柱状体の一部を利用したものであってもよく、第１表示面３３を正面方向に向け、第２表示面３４を右側方向及び左側方向に向け、背面を壁等に取付けることにより、第１実施の形態と同様の効果を奏する。第１表示面３３と第２表示面３４に表現された表示内容を同一にすること、第１表示面３３と第２表示面３４とを交互に照明すること、各表示面３３，３４の幅寸法を表示部３２毎に異ならせること等を採用してもよいことは、第１実施の形態と同様である。
【００２１】
図１０〜１２は、第４実施の形態の概念的説明図である。図１０〜１２において、４１は表示体である看板で、図１０に示すとともに図１１に２点鎖線で示すように、底面が正方形で底面の対角線の交点と頂点を結ぶ線が底面に垂直である正四角錐体を基体形状としている。４２は、表示部で、互いに直交する細長い平面からなる第１表示面４３と第２表示面４４とを有し、各表示面４３，４４が四角錐体の側面に階段状に連続して設けられている。第１表示面４３は、底面に平行な水平面を基準面とし、この基準面に平行に形成されている。第２表示面４４は、第１表示面４３に垂直で底面の対応する辺に平行な平面に形成されている。第１表示面４３と第２表示面４４は、四角錐体の頂点に対応する部位を起点にして各側面に階段状に設けられ、各幅寸法が同一になっている。看板４１の設置は、底面を建物の屋根、スタンド、ポール、壁等に固定して取付けるようになっているが、取付部は図示を省略している。なお、看板４１の製法は、第１実施の形態と同様である。
【００２２】
第４実施の形態の看板４１を図１０〜１１に示す状態で設置する場合には、観察者は、各表示面４３，４４に表現された表示内容（図示せず）を互いに直交するＡ矢印方向、Ｂ矢印方向、Ｃ矢印方向、Ｄ矢印方向及びＥ矢印方向の５方向からそれぞれ正視画像として見得る。その際、各表示面４３，４４がそれぞれの向きにおいて全体として一平面を形成するが、階段状になっていることから、表現された表示内容を歪みのない正視画像として立体的に見得る。第１表示面４３は、看板４１のＥ矢印方向である平面方向において四角錐体の底面積に相当する正方形の水平面であり、広い面積が確保されている。そして、四角錐体の側面には平面方向に向けた表示内容を他の方向のものと一緒に表現することが不可能であったが、それが可能になった。しかも、平面方向には、他の方向におけるよりもはるかに広い面積の表示面にすることができた。なお、基体形状は、正四角錐のみではなく、底面が直角平行四辺形であれば他の四角錐体でもよい。第１表示面４３と第２表示面４４に表現された表示内容を同一にすること、第１表示面４３と第２表示面４４とを交互に照明すること、各表示面４３，４４の幅寸法を表示部４２毎に異ならせること等を採用してもよいことは、第１実施の形態と同様である。また、底面を壁、天井等に取付け、四角錐体の頂点が横向き又は下向きになるように設置してもよく、より良好な表示効果が得られる。
【００２３】
図１３〜１５は、第５実施の形態の概念的説明図である。図１３〜１５において、５１は表示体である看板で、図１４に示すとともに図１５に２点鎖線で示すように、底面が正方形で底面の対角線の交点と頂点を結ぶ線が底面に垂直である一対の正四角錐体を基体形状としている。すなわち、第４実施の形態の変形例で、一対の正四角錐体を底面で結合したものに相当しており、表示部５２、第１表示面５３及び第２表示面５４については第４実施の形態におけると同様になっている。そのため、看板５１を図１３〜１５で示す状態で吊下げ設置した場合には、観察者は各表示面５３，５４に表現された表示内容（図示せず）を互いに直交するＡ矢印方向、Ｂ矢印方向、Ｃ矢印方向、Ｄ矢印方向、Ｅ矢印方向及びＦ矢印方向の６方向からそれぞれ正視画像として見得る。
【００２４】
図１６〜１８は、第６実施の形態の概念的説明図である。図１６〜１８において、６１は表示体である看板で、図１７及び図１８に２点鎖線で示すように、底面が正方形で底面の対角線の交点と頂点を結ぶ線が底面に垂直である正四角錐体を基体形状としている。６２は、表示部で、互いに直交する正方形の平面からなる第１表示面６３、第２表示面６４及び第３表示面６５を有し、各表示面６３，６４，６５が四角錐体の各側面に階段状に連続して設けられている。第１表示面６３は、底面に平行な水平面を基準面とし、この基準面に平行に形成されており、四角錐体の頂点側に向いている。第２表示面６４は、底面の一方の対角線を通る垂直面を基準面とし、この基準面に平行に形成されており、前記一方の対角線とは無関係な底面の頂点側に向いている。第３表示面６５は、底面の他方の対角線を通る垂直面を基準面とし、この基準面に平行に形成されており、前記他方の対角線とは無関係な底面の頂点側に向いている。各基準面が互いに直交していることから、各表示面６３，６４，６５は互いに直交した直角四辺形になっている。また、各表示面６３，６４，６５は、四角錐体の頂点に対応する部位を起点にして各側面に階段状に設けられ、各幅寸法が同一に設定されている。従って、各表示面６３，６４，６５が正方形で、各表示部６２は立方体状になっている。看板６１の設置は、第４実施の形態と同様であるが、取付部は図示を省略している。看板６１は、四角錐体の頂点に対応する部位において稜線を均等に跨ぐように立方体を積層し、又は成形加工により一体的に形成されている。
【００２５】
第６実施の形態の看板６１を図１６〜１８に示す状態で設置する場合には、観察者は、各表示面６３，６４，６５に表現された表示内容（図示せず）を互いに直交するＡ矢印方向、Ｂ矢印方向、Ｃ矢印方向、Ｄ矢印方向及びＥ矢印方向の５方向からそれぞれ正視画像として見得る。その際、各表示面６３，６４，６５がそれぞれの向きにおいて全体として一平面を形成するが、階段状になっていることから、表現された表示内容を歪みのない正視画像として立体的に見得る。第１表示面６３は、第１実施の形態と同様にして、広い面積が確保されている。第２表示面６４及び第３表示面６５については、稜線を挟む両側面に全体として一平面を形成することになり、稜線方向すなわち底面の頂点の方向からの投影面積に相当する広い面積になっている。しかも、各表示面６３，６４，６５が左右方向及び平面方向において微細な段差があることから、第４実施の形態よりも立体的な面となっている。なお、基体形状は、正四角錐のみではなく、底面が互いに直交する２つの対角線を有する四角形で、前記対角線の交点と頂点を結ぶ線が底面に垂直であれば、他の形状の四角錐体でもよい。各表示面６３，６４，６５に表現される表示内容を同一にすること、各表示面６３，６４，６５を交互に照明すること、各表示面６３，６４，６５の幅寸法を表示部６２毎に異ならせること等を採用してもよいことは、第１実施の形態と同様である。その際、各表示面６３，６４，６５の幅寸法を表示部６２毎に異ならせたものは、各表示部６２の形状が直方体状になるが、本実施の形態におけると同様にして製作すればよい。底面を壁、天井等に取付け、四角錐体の頂点が横向き又は下向きになるように設置してもよく、より良好な表示効果が得られる。また、第５実施の形態のように、底面の形状が同一の２つの四角錐体の底面を結合してなる立体であってもよい。その際、各四角錐体は、全体形状が異なるものでもよい。
【００２６】
図１９〜２１は、第７実施の形態の概念的説明図である。図１９〜２１において、７１は表示体である看板で、図２０に２点鎖線で示すように、中心を通る横断面形状が円形、すなわち球状面を有する球体を基体形状としている。７２は、表示部で、互いに直交する直角平行四辺形の平面からなる第１表示面７３、第２表示面７４及び第３表示面７５を有し、各表示面７３，７４，７５が球体の３つの軸方向においてそれぞれ球状面に階段状に連続して設けられている。図２０における上下方向、左右方向及び紙面に対する垂直方向のそれぞれの軸をＸ軸、Ｙ軸及びＺ軸とし、Ｙ軸とＺ軸とを含むＸ軸方向に向く平面をＸ軸面、Ｚ軸とＸ軸とを含むＹ軸方向に向く平面をＹ軸面及びＸ軸とＹ軸とを含むＺ軸方向に向く平面をＺ軸面として説明する。第１表示面７３は、Ｘ軸面を基準面とし、この基準面に平行に形成されている。第２表示面７４は、Ｙ軸面を基準面とし、この基準面に平行に形成されている。第３表示面７５は、Ｚ軸面を基準面とし、この基準面に平行に形成されている。各表示面７３，７４，７５は、各基準面が互いに直交していることから、それぞれ直角四辺形になっている。そして、Ｚ軸面に沿う第１表示面７３と第２表示面７４とは、Ｘ軸面及びＹ軸面に４５度で交差する面を境に鏡面対称に設けられている。Ｘ軸面に沿う第２表示面７４と第３表示面７５とは、Ｙ軸面とＺ軸面に４５度で交差する面を境に鏡面対称に設けられている。Ｙ軸面に沿う第３表示面７５と第１表示面７３とは、Ｘ軸面とＺ軸面に４５度で交差する面を境に鏡面対称に設けられている。Ｘ軸面、Ｙ軸面及びＺ軸面に沿うもの以外の表示体７２の各表示面７３，７４，７５についても、ほぼ同様になっている。これにより、Ｘ，Ｙ，Ｚの各軸方向において各表示面７３，７４，７５により形成される表示面は、全体として同一の形状及び面積になっている。看板７１の設置は、第４実施の形態と同様であり、取付部は図示を省略している。看板７１は、金属板を曲げ加工により成形した２つの半球相当分を接合し、中空状になっているが、直方体を積層してもよい。外周に表示部が形成された板材又は環状体を積層して成形してもよく、また、中空状に一体成形してもよい。
【００２７】
第７実施の形態の看板７１を図１９〜２１に示す状態で設置する場合には、観察者は各表示面７３，７４，７５に表現された表示内容（図示せず）を互いに直交するＡ矢印方向、Ｂ矢印方向、Ｃ矢印方向、Ｄ矢印方向、Ｅ矢印方向及びＦ矢印方向の６方向からそれぞれ正視画像として見得る。その際、各表示面７３，７４，７５がそれぞれの向きにおいて全体として一平面を形成するが、階段状になっていることから、表現された表示内容を歪みのない正視画像として立体的に見得る。また、各表示面７３，７４，７５は、球体の断面積にほぼ相当し、一平面としての広い面積が確保されている。しかも、Ｘ，Ｙ，Ｚの各軸方向において微細な段差があることから、立体的な面を形成することになる。なお、基体形状は、楕円面からなる楕円体等の球状体であってもよい。各表示面７３，７４，７５に表現される表示内容を同一にすること、各表示面７３，７４，７５を交互に照明すること等を採用してもよい。各表示面７３，７４，７５の寸法、相互の関係は、各接続部位が球状面に沿っておればよく、必ずしも前記４５度の面で鏡面対象でなくてもよい。自由運動し得るように吊下げ、浮遊させる等により設置する場合には、各表示面７３，７４，７５に対峙した時に正視画像が見え、その他の状態では各表示面７３，７４，７５に表現された表示内容が混在した画像が見え、表示内容が多様に変化することから、観察者が移動する場合よりも強い印象を与え得る。
【００２８】
各実施の形態は、標識、看板等の情報伝達手段に関するものであるが、建築物、構造物、公園、催物会場等に設置される置物、絵画、壁掛け、オブジエ等の装飾手段、キーホルダー、アクセサリー等の小物品等に適用してもよく、多面・多方向表示機能を有することから、装飾性、意外性、遊戯性等に優れたものを得ることができる。なお、表示体の基体形状が球状体、２つの四角錐体を結合してなるもの等については、軽量材又は柔軟ではあるが形状保持可能な樹脂フイルム等で中空密封状に形成し，ヘリウムガス等の希ガスを充填することにより、浮遊状態に設置でき、情報伝達、装飾効果等を充分に発揮させ得る。
【００２９】
【発明の効果】
本発明によれば、立体の側面に連続して形成された突起状の表示部が互いに直交する２つ又は３つの基準面に平行な表示面を平面を有していることから、立体の側面の数以上の表示面を備え、しかも各方向の表示面の輪郭形状が立体の側面の輪郭形状とほぼ同一でありながら、立体の基準面に平行な平面として形成された表示体を得ることが可能になった。その結果、各方向に向いた表示面に異なる表示内容を表現するができ、１つの表示体に従来よりも多数の表示をし得る。表現された表示内容は、観察者が各方向の表示面に対峙した時に斜視的になったり、湾曲したり等の歪みがなく、正視画像として視認し得る。同一方向に向いた表示面が平面でありながらも、正視画像として立体的に視認し得る。また、表示体と観察者とが相対的に移動することにより表示が多様に変化するため、観察者の目を強く惹き付け得る。従って、情報伝達、装飾等において、従来よりもはるかに優れた機能を発揮し得る。
【図面の簡単な説明】
【図１】本発明の第１実施の形態の説明図で、三角柱を基体形状とする案内標識の概念的斜視図である。
【図２】同じく、平面図である。
【図３】同じく、正面図である。
【図４】本発明の第２実施の形態の説明図で、四角柱を基体形状とする看板の概念的斜視図である。
【図５】同じく、平面図である。
【図６】同じく、正面図である。
【図７】本発明の第３実施の形態の説明図で、円柱を基体形状とする看板の概念的斜視図である。
【図８】同じく、平面図である。
【図９】同じく、正面図である。
【図１０】本発明の第４実施の形態の説明図で、四角錐体を基体形状とし、各側面に２方向に向く表示面を有する看板の概念的斜視図である。
【図１１】同じく、平面図である。
【図１２】同じく、正面図である。
【図１３】本発明の第５実施の形態の説明図で、底面で結合してなる一対の四角錐体を基体形状とする看板の概念的斜視図である。
【図１４】同じく、平面図である。
【図１５】同じく、正面図である。
【図１６】本発明の第６実施の形態の説明図で、四角錐体を基体形状とし、各側面に互いに直交する３方向に向く表示面が設けられた看板の斜視図である。
【図１７】同じく、平面図である。
【図１８】同じく、正面図である。
【図１９】本発明の第７実施の形態の説明図で、球体を基体形状とする看板の概念的斜視図である。
【図２０】同じく、看板の中心を通る水平面で切った切り口の形状を概念的に示す横断面図である。
【図２１】同じく、正面図である。
【符号の説明】
１１，２１，３１，４１，５１，６１，７１　　表示体である案内標識又は看板１２，２２，３２，４２，５２，６２，７２　　表示部
１３，２３，３３，４３，５３，６３，７３　　第１表示面
１４，２４，３４，４４，５４，６４，７４　　第２表示面
１５　案内標識の取付部
６５，７５　第３表示面
Ａ、Ｂ、Ｃ、Ｄ、Ｅ、Ｆ　　観察者の視線方向
【図１】
2004038129.tif 000003
【図２】
2004038129.tif 000004
【図３】
2004038129.tif 000005
【図４】
2004038129.tif 000006
【図５】
2004038129.tif 000007
【図６】
2004038129.tif 000008
【図７】
2004038129.tif 000009
【図８】
2004038129.tif 000010
【図９】
2004038129.tif 000011
【図１０】
2004038129.tif 000012
【図１１】
2004038129.tif 000013
【図１２】
2004038129.tif 000014
【図１３】
2004038129.tif 000015
【図１４】
2004038129.tif 000016
【図１５】
2004038129.tif 000017
【図１６】
2004038129.tif 000018
【図１７】
2004038129.tif 000019
【図１８】
2004038129.tif 000020
【図１９】
2004038129.tif 000021
【図２０】
2004038129.tif 000022
【図２１】
2004038129.tif 000023